(57)【要約】【課題】壁下地に壁紙を見映え良く貼り付けする。【解決手段】目地部ｂを介して壁下地材ａ１が面一に並置された壁下地ａに、壁紙を貼り付ける方法であって、目地部ｂの隙間にパテｇ１を充填するパテ埋め工程と、パテの硬化後、その表面に目地部ｂを跨るように壁紙補強テープ１を貼り付けるテープ貼り付け工程と、壁紙補強テープ１が貼り付けられた壁下地ａに裏面にでん粉糊が塗布された壁紙を貼り付ける壁紙貼り付け工程とを含む。壁紙補強テープ１は、壁下地材ａ１側に貼り付く粘着面を有しかつ樹脂繊維からなるメッシュ状の基材２と、紙材料からなりかつ前記基材２に一体に接着されるとともに壁紙側に貼り付く保護シート部３とを具えるとともに、壁紙貼り付け工程に先立ち、壁下地材ａ１に貼り付けられた壁紙補強テープ１の保護シート部３に、でん粉糊５を塗布しかつ含浸させる工程を行い、かつ、該でん粉糊５が硬化する前に壁紙貼り付け工程を行う。【選択図】図５
2009121055.tif 000002
【特許請求の範囲】
【請求項１】
目地部を介して壁下地材が面一に並置された壁下地に、壁紙を貼り付ける壁紙の施工方法であって、
前記目地部の隙間にパテを充填して隙間埋めするパテ埋め工程と、
前記パテの硬化後、その表面に前記目地部を跨るように壁紙補強テープを貼り付けるテープ貼り付け工程と、
前記壁紙補強テープが貼り付けられた壁下地に裏面にでん粉糊が塗布された壁紙を貼り付ける壁紙貼り付け工程とを含むとともに、
前記壁紙補強テープは、前記壁下地材側に貼り付く粘着面を有しかつ樹脂繊維からなるメッシュ状の基材と、
紙材料からなりかつ前記基材に一体に接着されるとともに壁紙側に貼り付く保護シート部とを具えるとともに、
前記壁紙貼り付け工程に先立ち、壁下地材に貼り付けられた前記壁紙補強テープの保護シート部に、でん粉糊を塗布しかつ含浸させる工程を行い、かつ、該でん粉糊が硬化する前に前記壁紙貼り付け工程を行うことを特徴とする壁紙の施工方法。
【請求項２】
前記紙材料は、吸水性を有する和紙である請求項１記載の壁紙の施工方法。
【請求項３】
前記保護シート部の外縁は、波状、ジグザグ状又は食い裂き形状である請求項１又は２記載の壁紙の施工方法。
【発明の詳細な説明】
【技術分野】
【０００１】
本発明は、面一に並置された壁下地材の目地部を壁下地に壁紙を見映え良く貼り付けしうる壁紙の施工方法に関する。
【背景技術】
【０００２】
例えば、乾式工法の家屋の壁の内装仕上げは、壁下地の上に壁紙を貼着して施工される。壁下地は、通常、矩形の石膏ボード等からなる壁下地材を面一に並置して構成されるが、該壁下地材の接続部である目地部は、地震や台風、熱膨張などの外力によって変位する。このため、これらの変位が直接壁紙に伝えられると、目地部に沿って壁紙にシワや破れが発生し、外観が大きく損なわれるという問題がある。
【０００３】
このため、図１１に示されるように、家屋の壁構造では、例えば壁下地材ａ１、ａ１からなる壁下地ａの目地部ｂに、高弾性の繊維を格子状に溶着させたメッシュテープｃ１及び保護シートｃ２からなる壁紙補強テープｃを貼り付けた後、壁紙ｄを貼り付けることが行われる。なお、目地部ｂは、予めその隙間にパテ材等が充填されて隙間埋めされている。
【０００４】
【特許文献１】実開昭５７−１６２３５２号公報
【発明の開示】
【発明が解決しようとする課題】
【０００５】
ところで、壁紙ｄを壁下地ａに貼り付ける場合、通常、一度で正確に位置決めして貼り付けることは難しい。例えば、壁紙ｄと壁下地ａとの間に空気が介在した場合には、貼り付け後直ぐに再度壁紙ｄを剥がして位置を調整する必要がある。また、壁紙ｄのつなぎ目では、両側の壁紙ｄの絵柄を合わせるためにも、幾度となく壁紙ｄを剥がして位置調整をする必要がある。
【０００６】
しかしながら、一旦、壁下地ａに貼り付けた壁紙ｄを剥がす場合、壁紙補強テープｃが壁紙ｄの裏面に接着し該壁紙ｄを一緒に壁下地ａから剥がれるという問題があった。このような現象が生じると、再度、壁紙補強テープｃの貼り付け作業をやり直さねばならない。このように、従来の施工方法では、作業が非常に煩雑であり、非能率的であるという問題があった。
【０００７】
本発明は、以上のような問題点に鑑み案出なされたもので、壁紙貼り付け工程に先立ち、壁下地材に貼り付けられた壁紙補強テープの保護シート部に、でん粉糊を塗布しかつ含浸させる工程を行い、かつ、該でん粉糊が硬化する前に壁紙貼り付け工程を行うことを基本として、壁紙補強テープの保護シート部と壁紙との接着を防ぎ、該壁紙補強テープが壁紙とともに剥離するのを防止し、作業工程を能率化しうる壁紙の施工方法を提供することを主たる目的としている。
【課題を解決するための手段】
【０００８】
本発明のうち請求項１記載の発明は、目地部を介して壁下地材が面一に並置された壁下地に、壁紙を貼り付ける壁紙の施工方法であって、前記目地部の隙間にパテを充填して隙間埋めするパテ埋め工程と、前記パテの硬化後、その表面に前記目地部を跨るように壁紙補強テープを貼り付けるテープ貼り付け工程と、前記壁紙補強テープが貼り付けられた壁下地に裏面にでん粉糊が塗布された壁紙を貼り付ける壁紙貼り付け工程とを含むとともに、前記壁紙補強テープは、前記壁下地材側に貼り付く粘着面を有しかつ樹脂繊維からなるメッシュ状の基材と、紙材料からなりかつ前記基材に一体に接着されるとともに壁紙側に貼り付く保護シート部とを具えるとともに、前記壁紙貼り付け工程に先立ち、壁下地材に貼り付けられた前記壁紙補強テープの保護シート部に、でん粉糊を塗布しかつ含浸させる工程を行い、かつ、該でん粉糊が硬化する前に前記壁紙貼り付け工程を行うことを特徴とする。
【０００９】
また請求項２記載の発明は、前記紙材料は、吸水性を有する和紙である請求項１記載の壁紙の施工方法である。
【００１０】
また請求項３記載の発明は、前記保護シート部の外縁は、波状、ジグザグ状又は食い裂き形状である請求項１又は２記載の壁紙の施工方法である。
【発明の効果】
【００１１】
本発明の壁紙の施工方法では、壁紙貼り付け工程に先立ち、壁下地材に貼り付けられた壁紙補強テープの保護シート部に、でん粉糊を塗布しかつ含浸させる工程を行い、かつ、該でん粉糊が硬化する前に壁紙貼り付け工程が行われる。このため、保護シート部の表面及び壁紙の裏面には、ともに未硬化状態のでん粉糊が存在するため、両面の接着を遅らせることができる。従って、一旦貼り付けた壁紙の位置を調整するために、再度壁紙を剥がした場合でも、該壁紙を壁紙補強テープの表面から容易に剥離できる。従って、壁紙補強テープが壁紙とともに壁下地から剥がされるのを防ぎ、ひいては、壁紙の施工作業を能率化しうる。
【発明を実施するための最良の形態】
【００１２】
以下、本発明の実施形態が図面に基づき説明される。
本実施形態の壁紙の施工方法は、図１に示されるように、例えば家屋の壁下地ａに壁紙を貼り付けらる際に好適に利用される。前記壁下地ａは、目地部ｂを介して複数の壁下地材ａ１、ａ１が面一に並置されることにより形成される。
【００１３】
本実施形態では、先ず前記目地部ｂの隙間にパテを充填して隙間埋めするパテ埋め工程が行われる。図２（ａ）には、図１の壁下地ａのＡ−Ａ断面図が示される。図２において上側が室内側を示す。本実施形態では、壁下地材ａ１が石膏ボードからなり、かつ、その目地部ｂにおいて突き合わされた室内側の隅部が面取りされている。これにより、目地部ｂには、断面略三角形状でのびる溝状の凹部ｅが形成されている。
【００１４】
本実施形態のパテ埋め工程は、図２（ａ）、（ｂ）に示されるように、前記凹部ｅに例えばペースト状のパテｇ１を充填して表面を平滑にならして養生硬化させた後、高弾性繊維からなる網目状のメッシュテープｍが目地部ｂに跨ってかつ該目地部ｂに沿って貼り付けられる。しかる後、このメッシュテープｍを覆うよう、再度パテｇ２を塗り、表面を平滑化させる。なお、理解しやすいように、図２では、メッシュテープｍやパテｇ２の厚さが誇張して表示されている。また、パテｇ２の硬化後は、固く絞った雑巾等で表面を水拭きし、表面に浮き上がったパテ粉を十分に取り除くことが望ましい。
【００１５】
次に、パテの硬化後、前記目地部ｂを跨るように壁紙補強テープ１を貼り付けるテープ貼り付け工程が行われる。
【００１６】
前記壁紙補強テープ１は、図３に示されるように、壁下地材ａ１側に貼り付く樹脂繊維からなるメッシュ状の基材２と、紙材料からなりかつ前記基材２と一体に接着される保護シート部３とから構成される。なお、図３において、符号Ａは壁紙補強テープ１の長さ方向（即ち、使用時に目地部ｂに沿う方向）、同Ｂは幅方向をそれぞれ示す。
【００１７】
前記メッシュ状の基材２としては、例えば、長さ方向Ａ及び幅方向Ｂにそれぞれ沿ってのびる縦、横の繊維２ａ、２ｂを積層しかつ熱融着することによりメッシュ状に形成される。また、基材２の両側の面には、粘着材が塗布され、その一方の面（図３では見えない）は前記保護シート部３に一体に貼り付けられるとともに、他方の面Ｐ１（図３において上向きの面）は、図４に示されるように離型紙Ｒで覆われる粘着面として構成される。これにより、壁紙補強テープ１はロール状に巻取られて保管等が可能であり、その利便性が向上する。
【００１８】
図５に示されるように、基材２は、壁下地材ａ１、ａ１間の目地部ｂに跨って貼り付けられる。このため、基材２としては、壁下地材ａ１、１間に相対変位が生じた場合でも前記繊維２ａ、２ｂが破断することなく柔軟に伸び、前記変位を吸収しうるものが望ましい。これにより、目地部ｂの目開きが確実に防止される。このような作用をより確実に発揮させるために、基材２の前記各繊維２ａ、２ｂには、好ましくは高い引張強さと適度な柔軟性とを有する例えばポリエチレン樹脂、ポリプロピレン樹脂及びエチレン酢酸ビニル樹脂（ＥＶＡ）を含むオレフィン系樹脂や、ポリスチレン樹脂、ポリアミド樹脂、ポリエステル樹脂などのプラスチック材料などが好適に用いられる。また、メッシュ状の基材２に十分な粘着剤を保持させるために、前記繊維２ａ及び／又は２ｂには、例えば断面が放射状に分割された割繊維が用いられることが望ましい。
【００１９】
前記保護シート部３は、本実施形態で紙材料からなり、かつ、前記基材２と予め一体に接着されるとともに前記基材２の幅方向の両外縁２ｅ、２ｅからはみ出す外縁３ｅを有する。つまり、保護シート部３は、基材２よりも大きい幅を有する。これは、基材２と保護シート部３との各外縁が重なり、壁紙ｄに大きな段差ｆが形成されるのを防止するのに役立つ。
【００２０】
また、保護シート部３は、基材２のメッシュ形状が壁紙ｄに映るのを防止する他、壁紙ｄと一体化し、壁紙ｄの目地部ｂを覆う部分を効果的に補強し、破れや皺の発生を防止しうる。なお、保護シート部３の厚さが大きいと、壁紙ｄを過度に膨らませてしまうため好ましくない。このような観点より、保護シート部３には、小さい厚さでも高い強度を具える和紙が望ましい。このような和紙としては、例えば厚さ２０〜７０μｍ、密度０．３０〜０．７０ｇ／ｍ3及び引張強度（乾燥時）１．０〜２．０ｋＮ／ｍのものが好適である。なお、和紙は、壁紙ｄを壁下地材ａ１に貼り付けるでん粉系接着剤との接着性が良くかつ吸水性が高い点でも好ましいと言える。
【００２１】
そして、図５に示されるように、壁紙補強テープ１は、基材２が目地部ｂを跨るよう前記パテｇ２の表面に貼り付けられる。具体的には、ロール状に巻取られた壁紙補強テープ１から離型紙Ｒを剥がし、基材２の粘着面を壁下地材ａ１側に向けて貼り付けられる。この際、強度の高い基材２が目地部ｂを跨ぐように貼り付けられる。
【００２２】
好ましくは、図６（ａ）に示されるように、壁紙補強テープ１を、ローラ４等で押圧し、強固に壁下地材ａ１に貼り付けることが望ましい。
【００２３】
次に、図６（ｂ）に示されるように、壁下地材ａ１に貼り付けられた壁紙補強テープ１の保護シート部３に、でん粉糊５を塗布しかつ含浸させる工程が行われる。前記でん粉糊５は、例えば刷毛６等によって、保護シート部３にのみ塗布される。従って、工程を大幅に複雑化しない。また、保護シート部３は、紙材料からなるため、水系の接着剤であるでん粉糊の水分を吸収し、その表面を数時間ウエット状態に保つことができる。
【００２４】
次に、この保護シート部３に塗布されたでん粉糊が硬化する前に、図７（ａ）に示されるように、裏面７ｂ（図７（ｂ）に示す）にでん粉糊が塗布された壁紙７を貼り付ける壁紙貼り付け工程が行われる。壁紙７を剥がすことがなければ特に問題はないが、例えば隣り合う壁紙７Ｘと壁紙７Ｙとの絵柄合わせ等により、壁紙７Ｙの一部を剥がす場合でも、壁紙補強テープ１が壁紙７と一緒に剥がれることはない。
【００２５】
即ち、従来の施工方法では、壁紙７の裏面のでん粉糊が、乾燥した壁紙補強テープ１の保護シート部３に直ちに吸収され、両者が早期に接着していたため、両者を再度剥離させることが容易ではなかった。これに対して、本実施形態の施工方法では、壁紙補強テープ１の保護シート部３の表面及び壁紙７の裏面７ｂには、ともに未硬化状態（ウエット状態）のでん粉糊が存在するため、両面は直ちに接着せず、ひいては一旦貼り付けた壁紙７を再度剥がした場合でも、該壁紙７は壁紙補強テープ１の表面から容易に剥離させ得る。従って、壁紙補強テープ１が壁紙７とともに壁下地材ａ１から剥がされるのを防ぎ、ひいては、壁紙７の施工作業が煩雑化するのを効果的に防止しうる。
【００２６】
なお、保護シート部３に塗布されたでん粉糊が硬化する時間は、でん粉糊の塗布厚さ、糊の種類、粘度、周囲温度、湿度及び／又は風量などの条件によって異なるが、概ね完全硬化には１ないし数時間要するので、それよりも早く壁紙７の位置合わせ等を行えば十分である。このように、本実施形態の壁紙の施工方法では、壁紙補強テープ１が壁紙７と一緒に剥がれるのを防止し、作業を大幅に能率化しうる。
【００２７】
また、本実施形態では、壁紙補強テープ１の両外縁をなす保護シート部３の前記外縁３ｅが非直線状で形成されている。非直線状とは、直線以外の全ての形態を含む概念であり、例えば図８（Ａ）及び（Ｂ）に示されるように、波状やジグザグ状などの他、図３に示されるように、外縁３ｅをランダムに引きちぎったようないわゆる食い裂き形状が望ましい。さらに、上記各形状を適宜組み合わせたものでも良い。
【００２８】
即ち、壁下地ａに貼り付けられた壁紙７は、壁紙補強テープ１の厚さ分だけ外側に膨れることになるが、例えば、図９に示されるように、保護シート部３の外縁３ｅが目地部ｂに沿った直線状をなす場合、壁紙７の膨らみ部の縁には段差ｆが直線状となって形成され、非常に目立ちやすい傾向がある。特に、このような壁紙７の膨らみ部に斜光が当たると、前記段差ｆが影となって明瞭に表れ、外観を損ねるという傾向がある。これに対して、本実施形態のように、保護シート部３の外縁３ｅを非直線状で形成した場合には、前記膨らみ部分の段差ｆの輪郭をぼやかすことができる。従って、壁紙７に斜光等が当たっても、壁紙補強テープ１を覆う壁紙７の膨らみを目立ち難くすることができ、ひいては壁の外観低下を効果的に防止しうる。
【００２９】
上述の効果をより一層高めるために、保護シート部３の外縁３ｅは、最も外側の縁Ｎ１と、最も内側の縁Ｎ２との幅方向の差Ｗが、好ましくは３mm以上、より好ましくは５mm以上、さらに好ましくは１０mm以上が望ましい。他方、前記差Ｗが大きすぎると、貼り付け作業性が悪化するおそれがあるので、好ましくは３０mm以下、より好ましくは２０mm以下が望ましい。なお、図８に示されるように、保護シート部３の外縁３ｅが周期的な凹凸をなす場合には、その凹凸の長さ方向Ａの周期Ｌは、好ましくは２０mm以上、より好ましくは３０mm以上が望ましい。
【００３０】
なお、壁紙補強テープ１は、図１０に示されるように、基材２の両外縁２ｅについても非直線状で形成することもできる。具体的には、横の繊維２ｂの長さを異ならせることにより、実質的に基材２の外縁２ｅを非直線状としうる。この実施形態では、保護シート部３の外縁３ｅだけではなく、基材２の両外縁２ｅにおいても、壁紙の膨らみをぼやかすことができる。従って、壁紙補強テープ１を覆う壁紙ｄの膨らみを多段階でぼかしてより一層目立ち難くすることができる。なお、この基材２の外縁２ｅを非直線状とするときには、保護シート部３の場合と同様に、波状、ジグザグ状及び／又は食い裂き形状など種々の形状が採用できる。
【図面の簡単な説明】
【００３１】
【図１】壁下地の部分正面図である。
【図２】（ａ）、（ｂ）は、パテ埋め工程を説明する図１のＡ−Ａ断面図である。
【図３】壁紙補強テープの一例を示す斜視図である。
【図４】その保管例を示す斜視図である。
【図５】壁紙補強テープの貼り付け工程を説明する壁下地の部分斜視図である。
【図６】（ａ）、（ｂ）は本発明の施工方法を説明する壁下地の部分斜視図である。
【図７】（ａ）、（ｂ）は本発明の施工方法を説明する壁下地の部分斜視図である。
【図８】（ａ）、（ｂ）は他の実施形態を示す壁紙補強テープの平面図である。
【図９】他の実施形態を示す壁構造の斜視図である。
【図１０】他の実施形態を示す壁紙補強テープの平面図である。
【図１１】従来の壁構造を示す斜視図である。
【符号の説明】
【００３２】
１  壁紙補強テープ
２  基材
３  保護シート部
５  でん粉糊
ａ  壁下地
ａ１  壁下地材
ｇ１、ｇ２  パテ
【図１】
2009121055.tif 000003
【図２】
2009121055.tif 000004
【図３】
2009121055.tif 000005
【図４】
2009121055.tif 000006
【図５】
2009121055.tif 000007
【図６】
2009121055.tif 000008
【図７】
2009121055.tif 000009
【図８】
2009121055.tif 000010
【図９】
2009121055.tif 000011
【図１０】
2009121055.tif 000012
【図１１】
2009121055.tif 000013